【手続補正書】
【提出日】平成26年3月17日(2014.3.17)
【手続補正１】
【補正対象書類名】特許請求の範囲
【補正対象項目名】全文
【補正方法】変更
【補正の内容】
【特許請求の範囲】
【請求項１】
電源用の制御装置であって、前記制御装置が、
入力検知信号を受信するように連結されると共に、前記入力検知信号に応答して、前記電源の入力電圧の位相角を表す位相角信号を生成する位相角測定ブロックと、
前記電源に含まれるスイッチの開閉を制御するように連結されると共に、前記位相角が位相しきい値以下である場合に、閉ループ調光制御で前記スイッチを制御し、前記位相角が前記位相しきい値より大きい場合に、開ループ調光制御で前記スイッチを制御する駆動論理ブロックとを備え、
前記駆動論理ブロックが前記閉ループ調光制御で前記スイッチを制御する場合に、前記駆動論理ブロックが、前記電源の出力を表すフィードバック信号に応答して、前記スイッチの開閉を制御するための駆動信号の１つ以上の動作条件を設定することによって、前記駆動信号を出力する
ことを特徴とする制御装置。
【請求項２】
前記１つ以上の動作条件が、スイッチング周波数、スイッチオン時間、スイッチオフ時間、及びデューティサイクルから成るグループの中から選択された１つ以上の条件を含む
ことを特徴とする請求項１に記載の制御装置。
【請求項３】
前記位相角が前記位相しきい値に等しい場合に、前記駆動論理ブロックが、前記フィードバック信号に応答して、前記駆動信号の前記１つ以上の動作条件をある値に設定すると共に、
前記位相角が前記位相しきい値より大きい場合に、前記駆動論理ブロックが、前記動作条件を前記値に維持する
ことを特徴とする請求項１に記載の制御装置。
【請求項４】
前記駆動論理ブロックが開ループ調光制御から閉ループ調光制御に移行する場合に、前記駆動論理ブロックが、前記駆動信号の前記１つ以上の動作条件を所定の値に設定すると共に、
前記位相角が前記位相しきい値より大きい場合に、前記駆動論理ブロックが、前記動作条件を前記所定の値に維持する
ことを特徴とする請求項１に記載の制御装置。
【請求項５】
前記入力検知信号が、前記電源の前記入力電圧を表す電圧検知信号である
ことを特徴とする請求項１に記載の制御装置。
【請求項６】
前記入力検知信号が、前記スイッチを流れるスイッチ電流を表す電流検知信号である
ことを特徴とする請求項１に記載の制御装置。
【請求項７】
前記制御装置及び前記スイッチが、集積回路に含まれる
ことを特徴とする請求項１に記載の電源。
【請求項８】
前記電源の前記入力電圧が、交流電圧の周期の一部分を除去するように構成される調光器回路の調光器出力電圧である
ことを特徴とする請求項１に記載の電源。
【請求項９】
前記調光器回路が、トライアック調光器回路である
ことを特徴とする請求項８に記載の電源。
【請求項１０】
前記電源の前記出力が、発光ダイオード（ＬＥＤ）アレイによって受信されるように連結されることになる
ことを特徴とする請求項１に記載の電源。
【請求項１１】
電源用の制御装置であって、前記制御装置が、
入力検知信号を受信するように連結されると共に、前記入力検知信号に応答して、前記電源の入力電圧の位相角が位相しきい値より大きいかどうかを表す調光制御信号を生成する位相角測定ブロックと、
前記入力電圧の前記位相角が前記位相しきい値以下であることを前記調光制御信号が表す場合に、フィードバック信号に応答して、前記電源に含まれるスイッチの開閉を制御するように連結されると共に、更に、前記位相角が前記位相しきい値より大きい場合に、前記フィードバック信号と無関係に、前記スイッチの前記開閉を制御するように連結される駆動論理ブロックとを備え、
前記駆動論理ブロックが、
前記フィードバック信号及び基準信号を受信するように連結されるフィードバック基準回路と、
前記調光制御信号及び前記フィードバック基準回路の出力を受信するように連結されると共に、前記入力電圧の前記位相角が前記位相しきい値以下であることを前記調光制御信号が表す場合に、前記フィードバック基準回路の前記出力に応答して、前記スイッチの前記開閉を制御するための駆動信号を生成し、前記位相角が前記位相しきい値より大きい場合に、前記フィードバック信号と無関係に、前記駆動信号を生成する駆動信号生成器とを備える
ことを特徴とする制御装置。
【請求項１２】
前記駆動論理ブロックが、スイッチング周波数、スイッチオン時間、スイッチオフ時間、及びデューティサイクルから成るグループの中から選択された前記駆動信号の１つ以上の動作条件を設定する
ことを特徴とする請求項１１に記載の制御装置。
【請求項１３】
前記位相角が前記位相しきい値に等しい場合に、前記駆動論理ブロックが、前記フィードバック信号に応答して、前記駆動信号の前記１つ以上の動作条件をある値に設定すると共に、
前記位相角が前記位相しきい値より大きい場合に、前記駆動論理ブロックが、前記動作条件を前記値に維持する
ことを特徴とする請求項１２に記載の制御装置。
【請求項１４】
前記入力検知信号が、前記電源の前記入力電圧を表す電圧検知信号である
ことを特徴とする請求項１１に記載の制御装置。
【請求項１５】
前記入力検知信号が、前記スイッチを流れるスイッチ電流を表す電流検知信号である
ことを特徴とする請求項１１に記載の制御装置。
【請求項１６】
前記駆動信号生成器が、
前記フィードバック基準回路の前記出力を受信するように連結されると共に、前記電源の前記出力を表すある値を生成するように連結される積分器と、
前記駆動信号を生成すると共に、前記駆動信号の前記１つ以上の動作条件を設定するように連結される状態機械と、
前記積分器と前記状態機械との間に連結されと共に、前記位相角が前記位相しきい値より大きいことを表す前記調光制御信号に応じて開かれ、前記位相角が前記位相しきい値より大きくないことを表す前記調光制御信号に応じて閉じられるように連結される調光制御スイッチとを備え、
前記スイッチが閉じている場合に、前記状態機械が、前記積分器によって生成された前記値に応答して、前記駆動信号の前記１つ以上の動作条件を設定する
ことを特徴とする請求項１１に記載の制御装置。
【請求項１７】
前記駆動信号生成器が、
前記積分器によって生成された前記値を保存するために前記スイッチと前記状態機械との間に連結されるホールドコンデンサを更に備え、
前記スイッチが開いている場合に、前記状態機械が、前記ホールドコンデンサに保存された前記値に応答して、前記駆動信号の前記１つ以上の動作条件を設定する
ことを特徴とする請求項１６に記載の制御装置。
【請求項１８】
前記駆動信号生成器が、
前記フィードバック基準回路の前記出力を受信するように連結されると共に、前記電源の前記出力を表すある値を生成するように連結される積分器と、
前記駆動信号を生成すると共に、前記位相角が前記位相しきい値より大きくないことを前記調光制御信号が表す場合に、前記積分器によって生成された前記値に応答して、前記駆動信号の前記１つ以上の動作条件を更新するように連結される状態機械とを備え、
前記位相角が前記位相しきい値より大きいことを前記調光制御信号が表す場合に、前記状態機械が、前記１つ以上の動作条件を更新しないと共に、前記積分器によって生成された前記値に応答しない
ことを特徴とする請求項１１に記載の制御装置。
【請求項１９】
前記制御装置及び前記スイッチが、集積回路に含まれる
ことを特徴とする請求項１１に記載の制御装置。
【請求項２０】
電源であって、前記電源が、
エネルギー伝達要素に連結されるスイッチと、
前記電源の出力を安定化するために前記スイッチの開閉を制御するように連結される制御装置とを備え、
前記制御装置が、
入力検知信号を受信するように連結されると共に、前記入力検知信号に応答して、前記電源の入力電圧の位相角を表す位相角信号を生成する位相角測定ブロックと、
前記スイッチの前記開閉を制御するように連結されると共に、前記位相角が位相しきい値以下である場合に、閉ループ調光制御で前記スイッチを制御し、前記位相角が前記位相しきい値より大きい場合に、開ループ調光制御で前記スイッチを制御する駆動論理ブロックとを備え、
前記駆動論理ブロックが、前記スイッチの開閉を制御するための駆動信号を出力すると共に、前記駆動論理ブロックが前記閉ループ調光制御で前記スイッチを制御する場合に、前記駆動論理ブロックが、前記電源の前記出力を表すフィードバック信号に応答して前記駆動信号の１つ以上の動作条件を設定し、
前記駆動論理ブロックが、
前記フィードバック信号及び基準信号を受信するように連結されるフィードバック基準回路と、
前記フィードバック基準回路の出力を受信するように連結されると共に、前記入力電圧の前記位相角が前記位相しきい値以下である場合に、前記フィードバック基準回路の前記出力に応答して前記駆動信号を生成し、前記位相角が前記位相しきい値より大きい場合に、前記開ループ調光制御で前記駆動信号を生成する駆動信号生成器とを備える
ことを特徴とする電源。
【請求項２１】
電源であって、前記電源が、
エネルギー伝達要素に連結されるスイッチと、
前記電源の出力を安定化するために前記スイッチの開閉を制御するように連結される制御装置とを備え、
前記制御装置が、
入力検知信号を受信するように連結されると共に、前記入力検知信号に応答して、前記電源の入力電圧の位相角が位相しきい値より大きいかどうかを表す調光制御信号を生成する位相角測定ブロックと、
前記入力電圧の前記位相角が前記位相しきい値以下であることを前記調光制御信号が表す場合に、前記電源の前記出力を表すフィードバック信号に応答して、前記スイッチの前記開閉を制御するように連結されると共に、更に、前記位相角が前記位相しきい値より大きい場合に、前記フィードバック信号と無関係に、前記スイッチの前記開閉を制御するように連結される駆動論理ブロックとを備え、
前記駆動論理ブロックが、
前記フィードバック信号及び基準信号を受信するように連結されるフィードバック基準回路と、
前記調光制御信号及び前記フィードバック基準回路の出力を受信するように連結されると共に、前記入力電圧の前記位相角が前記位相しきい値以下であることを前記調光制御信号が表す場合に、前記フィードバック基準回路の前記出力に応答して、前記スイッチの前記開閉を制御するための駆動信号を生成し、前記位相角が前記位相しきい値より大きい場合に、前記フィードバック信号と無関係に、前記駆動信号を生成する駆動信号生成器とを備える
ことを特徴とする電源。
【請求項２２】
電源の入力に連結される調光器回路を有する前記電源用の制御装置であって、前記制御装置が、
入力検知信号を受信し、前記入力検知信号に基づいて、前記調光器回路が前記電源の前記入力から交流入力電圧を切り離す時間量を判定するように連結される測定ブロックと、
前記測定ブロックに連結されると共に、前記電源に含まれるスイッチの開閉を制御するための駆動信号を生成するように連結される駆動ブロックとを備え、
前記駆動ブロックが、前記時間量がしきい値以下であることを表す前記測定ブロックの出力に応答して、前記電源の出力量を表すフィードバック信号に応じて前記駆動信号の１つ以上の動作条件を設定することを含む閉ループ調光制御を行うと共に、前記駆動ブロックが、前記時間量がしきい値より大きいことを表す前記測定ブロックの前記出力に応答して、前記駆動信号の前記１つ以上の動作条件をある値に維持することを含む開ループ調光制御を行う
ことを特徴とする制御装置。
【請求項２３】
電源の入力に連結される調光器回路を有する前記電源用の制御装置であって、前記制御装置が、
入力検知信号を受信し、前記入力検知信号に基づいて、前記調光器回路が前記電源の前記入力から交流入力電圧を切り離す時間量を判定するように連結される測定ブロックと、
前記測定ブロックに連結されると共に、前記電源に含まれるスイッチの開閉を制御するように連結される駆動回路とを備え、
前記駆動回路が、前記時間量がしきい値以下であることを前記測定ブロックの出力が表す場合に、前記電源の出力量を表すフィードバック信号に応答して、前記スイッチの開閉を制御すると共に、前記駆動回路が、前記時間量が前記しきい値より大きいことを前記測定ブロックの前記出力が表す場合に、前記フィードバック信号と無関係に、前記スイッチの開閉を制御する
ことを特徴とする制御装置。
【請求項２４】
電源の入力に連結される調光器回路を有する前記電源用の制御装置であって、前記制御装置が、
入力検知信号を受信し、前記入力検知信号に応答して、前記調光器回路が前記電源の前記入力から交流入力電圧を切り離す時間量がしきい値より大きいかどうかを表す調光制御信号を生成するように連結される測定ブロックと、
前記測定ブロックに連結されると共に、前記電源に含まれるスイッチの開閉を制御するように連結される駆動回路とを備え、
前記駆動回路が、前記時間量が前記しきい値以下であることを前記調光制御信号が表す場合に、前記電源の出力量を表すフィードバック信号に応答して、前記スイッチの開閉を制御すると共に、前記駆動回路が、前記時間量が前記しきい値より大きいことを前記調光制御信号が表す場合に、前記フィードバック信号と無関係に、前記スイッチの開閉を制御する
ことを特徴とする制御装置。